(57)【要約】蓄電池の状態を把握するための処理にかかる負荷を軽減する技術を提供する。蓄電池１１５の状態を測定する測定部１２５と、測定部１２５が測定した状態を示す状態データと、測定した測定時刻とを対応付けて記憶する記憶部１３５と、記憶部１３５が記憶している状態データを通信ネットワークへ送信する送信部１４５と、送信部１４５が送信する状態データが、日毎に異なる測定時刻の状態データとなるように、送信部１４５を制御する制御部１５５とを有する。
2018043315.tif 000002
【特許請求の範囲】
【請求項１】
蓄電池の状態を測定する測定手段と、
前記測定手段が測定した状態を示す状態データと、その状態を測定した測定時刻とを対応付けて記憶する記憶手段と、
前記記憶手段が記憶している前記状態データを通信ネットワークへ送信する送信手段と、
前記送信手段が送信する前記状態データが、日毎に異なる前記測定時刻の前記状態データとなるように、前記送信手段を制御する制御手段とを有する蓄電装置。
【請求項２】
請求項１に記載の蓄電装置において、
前記制御手段は、前記送信手段が送信する前記状態データの前記測定時刻について、隣り合う間隔を時刻に応じて変化させる蓄電装置。
【請求項３】
請求項２に記載の蓄電装置において、
前記制御手段は、前記蓄電池の充電開始時刻前後の所定の時間、充電終了時刻前後の所定の時間、放電開始時刻前後の所定の時間および放電終了時刻前後の所定の時間には、他の時間よりも前記隣り合う間隔を狭くする蓄電装置。
【請求項４】
請求項１から３のいずれか１項に記載の蓄電装置において、
前記送信手段は、複数の前記状態データを１度に送信する蓄電装置。
【請求項５】
請求項１から４のいずれか１項に記載の蓄電装置において、
前記状態データは、前記蓄電池の電圧、電流、ＳＯＣ（Ｓｔａｔｅ  Ｏｆ  Ｃｈａｒｇｅ）、温度、電流積算値および総充放電電力量の少なくとも１つを含む蓄電装置。
【請求項６】
蓄電装置から送信された、該蓄電装置が具備する蓄電池の状態を示す状態データを複数受信する受信手段と、
前記受信手段が受信した複数の前記状態データが示す状態に基づいて、前記蓄電池の劣化状態を推定する推定手段とを有する情報処理装置。
【請求項７】
請求項６に記載の情報処理装置において、
前記推定手段は、前記受信手段が受信した、日毎に異なる測定時刻に応じた前記状態データを、該測定時刻に従って重ね合わせ、その重ね合わせた結果に基づいて、前記蓄電池の劣化状態を推定する情報処理装置。
【請求項８】
請求項６に記載の情報処理装置において、
複数の前記蓄電装置をグループに分けるグループ化手段を有し、
前記推定手段は、前記グループ化手段が分けたグループごとに、前記受信手段が受信した前記状態データを用いて前記蓄電池の劣化状態を推定する情報処理装置。
【請求項９】
請求項８に記載の情報処理装置において、
前記推定手段は、前記グループ化手段が分けたグループごとに、前記受信手段が受信した前記状態データを測定時刻に従って重ね合わせ、その重ね合わせた結果に基づいて、前記蓄電池の劣化状態を推定する情報処理装置。
【請求項１０】
請求項８または請求項９に記載の情報処理装置において、
前記グループ化手段は、前記蓄電装置が設置されている地域に基づいて、複数の前記蓄電装置をグループ化する情報処理装置。
【請求項１１】
請求項８または請求項９に記載の情報処理装置において、
前記グループ化手段は、前記蓄電装置が設置された設置時期に基づいて、複数の前記蓄電装置をグループ化する情報処理装置。
【請求項１２】
請求項８または請求項９に記載の情報処理装置において、
前記グループ化手段は、前記蓄電装置が前記蓄電池を複数具備しているか否かに基づいて、複数の前記蓄電装置をグループ化する情報処理装置。
【請求項１３】
請求項８または請求項９に記載の情報処理装置において、
前記グループ化手段は、太陽電池と連携した前記蓄電装置について、該太陽電池が受ける日照時間に基づいて、複数の前記蓄電装置をグループ化する情報処理装置。
【請求項１４】
請求項８または請求項９に記載の情報処理装置において、
前記グループ化手段は、前記蓄電装置の製造元が同じか否か基づいて、複数の前記蓄電装置をグループ化する情報処理装置。
【請求項１５】
蓄電池の状態を測定し、
測定した前記状態を示す状態データと、その状態を測定した測定時刻とを対応付けてデータベースに記憶する処理と、
前記データベースが記憶している前記状態データのうち、日毎に異なる前記測定時刻の前記状態データを通信ネットワークへ送信する処理とを行う通知方法。
【請求項１６】
蓄電装置から送信された、該蓄電装置が具備する蓄電池の状態を示す状態データを複数受信し、
受信した複数の前記状態データが示す状態に基づいて、前記蓄電池の劣化状態を推定する推定方法。
【請求項１７】
請求項１６に記載の推定方法において、
受信した、日毎に異なる測定時刻に応じた前記状態データを、該測定時刻に従って重ね合わせ、
その重ね合わせた結果に基づいて、前記蓄電池の劣化状態を推定する推定方法。
【請求項１８】
請求項１６に記載の推定方法において、
複数の前記蓄電装置をグループに分ける処理と、
分けた前記グループごとに、受信した前記状態データを用いて前記蓄電池の劣化状態を推定する推定方法。
【請求項１９】
コンピュータに、
蓄電池の状態を測定する処理と、
測定した前記状態を示す状態データと、その状態を測定した測定時刻とを対応付けてデータベースに記憶する処理と、
前記データベースが記憶している前記状態データのうち、日毎に異なる前記測定時刻の前記状態データを通信ネットワークへ送信する処理とを実行させるためのプログラムが記録された記録媒体。
【請求項２０】
コンピュータに、
蓄電装置から送信された、該蓄電装置が具備する蓄電池の状態を示す状態データを複数受信する処理と、
受信した複数の前記状態データが示す状態に基づいて、前記蓄電池の劣化状態を推定する処理とを実行させるプログラムが記録された記録媒体。
【請求項２１】
前記プログラムは、前記コンピュータに、
受信した、日毎に異なる測定時刻に応じた前記状態データを、該測定時刻に従って重ね合わせる処理と、
その重ね合わせた結果に基づいて、前記蓄電池の劣化状態を推定する処理と、を実行させるプログラムである、請求項２０に記載の記録媒体。
【請求項２２】
前記プログラムは、前記コンピュータに、
複数の前記蓄電装置をグループに分ける処理と、
分けた前記グループごとに、受信した前記状態データを用いて前記蓄電池の劣化状態を推定する処理と、を実行させるプログラムである、請求項２０に記載の記録媒体。
【請求項２３】
情報処理装置と、複数の蓄電装置とを有する蓄電システムであって、
複数の前記蓄電装置はそれぞれ、
当該蓄電装置が具備する蓄電池の状態を測定する測定手段と、
前記測定手段が測定した状態を示す状態データを前記情報処理装置へ送信する送信手段と、
前記送信手段が前記状態データを送信する送信タイミングを制御する制御手段とを有し、
前記制御手段は、複数の前記蓄電装置のうち当該蓄電装置以外の前記蓄電装置とは互いに異なるタイミングで、前記送信手段が前記状態データを送信するように、前記送信タイミングを制御する蓄電システム。
【請求項２４】
請求項２３に記載の蓄電システムにおいて、
前記制御手段は、前記送信タイミングを複数の前記蓄電装置の間で日毎にローテーションさせる蓄電システム。
【請求項２５】
請求項２３または請求項２４に記載の蓄電システムにおいて、
前記情報処理装置は、複数の前記蓄電装置それぞれに対して、当該蓄電装置以外の前記蓄電装置とは互いに異なる前記送信タイミングを通知し、
前記制御手段は、前記情報処理装置から通知された前記送信タイミングで、前記送信手段が前記状態データを送信するように、前記送信タイミングを制御する蓄電システム。
【請求項２６】
請求項２３から２５のいずれか１項に記載の蓄電システムにおいて、
前記制御手段は、前記送信手段が送信する前記状態データの測定時刻について、隣り合う間隔を時刻に応じて変化させる蓄電システム。
【請求項２７】
請求項２６に記載の蓄電システムにおいて、
前記制御手段は、前記蓄電池の充電開始時刻前後の所定の時間、充電終了時刻前後の所定の時間、放電開始時刻前後の所定の時間および放電終了時刻前後の所定の時間には、他の時間よりも前記隣り合う間隔を狭くする蓄電システム。
【請求項２８】
請求項２３から２７のいずれか１項に記載の蓄電システムにおいて、
前記情報処理装置は、複数の前記蓄電装置から送信されてきた前記状態データに基づいて、前記蓄電池の劣化状態を推定する蓄電システム。
【請求項２９】
請求項２３から２８のいずれか１項に記載の蓄電システムにおいて、
前記状態データは、前記蓄電池の電圧、電流、ＳＯＣ（Ｓｔａｔｅ  Ｏｆ  Ｃｈａｒｇｅ）、温度、電流積算値および総充放電電力量の少なくとも１つを含む蓄電システム。
【発明の詳細な説明】
【技術分野】
【０００１】
本発明は、蓄電装置、情報処理装置、通知方法、推定方法、プログラム、記録媒体および蓄電システムに関する。
【背景技術】
【０００２】
近年、様々な場面で蓄電池（二次電池）の利用が増えてきている。蓄電池は、充放電の繰り返しや使用年数により劣化していく。蓄電池の状態を監視するために、あらかじめ定められた送信タイミングで蓄電池の状態を示す情報を保守サーバへ送信する技術が考えられている（例えば、特許文献１参照）。【０００３】
なお、蓄電池に関連する技術として、以下のような技術がある。例えば、特許文献２には、組電池を構成する蓄電池セルの残存寿命を推定する技術が記載されている。特許文献３には、車両に搭載された蓄電池の劣化を均一化する技術が記載されている。特許文献４には、エネルギマネジメントシステムからの要求に応じて、蓄電池の充放電可能容量の範囲内で、蓄電池を充放電する技術が記載されている。なお、特許文献５には、蓄電池に直接関連する技術ではないが、端末の位置情報を送信する周期を調整することで、電池の消費量を抑制する技術が記載されている。
【先行技術文献】
【特許文献】
【０００４】
【特許文献１】国際公開第２０１５／１２９３２１号
【特許文献２】特開２００６−３００５６１号公報
【特許文献３】特開２０１５−２７２２３号公報
【特許文献４】国際公開第２０１５／０４０７２４号
【特許文献５】特開２０１０−２１２９０６号公報
【発明の概要】
【発明が解決しようとする課題】
【０００５】
蓄電池の状態を正確に把握するためには、その蓄電池についての多くの情報が必要となる。そのため、特許文献１に記載された技術を用いると、多くの送信タイミングで情報を送信しなければならない。これにより、保守サーバ（監視サーバ）等、その情報を受け取る側の負荷が増加してしまうという問題点がある。また、上記した他の特許文献も、上述した課題を解決可能な技術ではない。【０００６】
本発明の目的は、上述した課題を解決する蓄電装置、情報処理装置、通知方法、推定方法、プログラムおよび蓄電システムを提供することである。
【課題を解決するための手段】
【０００７】
本発明の蓄電装置は、
蓄電池の状態を測定する測定部と、
前記測定部が測定した状態を示す状態データと、該測定した測定時刻とを対応付けて記憶する記憶部と、
前記記憶部が記憶している状態データを通信ネットワークへ送信する送信部と、
前記送信部が送信する状態データが、日毎に異なる測定時刻の状態データとなるように、前記送信部を制御する制御部とを有する。【０００８】
また、本発明の情報処理装置は、
蓄電装置から送信された、該蓄電装置が具備する蓄電池の状態を示す状態データを複数受信する受信部と、
前記受信部が受信した複数の状態データが示す状態に基づいて、前記蓄電池の劣化状態を推定する推定部とを有する。【０００９】
また、本発明の通知方法は、
蓄電池の状態を測定する処理と、
前記測定した状態を示す状態データと、該測定した測定時刻とを対応付けてデータベースに記憶する処理と、
前記データベースが記憶している状態データのうち、日毎に異なる測定時刻の状態データを通信ネットワークへ送信する処理とを行う。【００１０】
また、本発明の推定方法は、
蓄電装置から送信された、該蓄電装置が具備する蓄電池の状態を示す状態データを複数受信する処理と、
前記受信した複数の状態データが示す状態に基づいて、前記蓄電池の劣化状態を推定する処理とを行う。【００１１】
また、本発明のプログラムは、
コンピュータに実行させるためのプログラムであって、
蓄電池の状態を測定する手順と、
前記測定した状態を示す状態データと、該測定した測定時刻とを対応付けてデータベースに記憶する手順と、
前記データベースが記憶している状態データのうち、日毎に異なる測定時刻の状態データを通信ネットワークへ送信する手順とを実行させる。【００１２】
また、コンピュータに実行させるためのプログラムであって、
コンピュータに、
蓄電装置から送信された、該蓄電装置が具備する蓄電池の状態を示す状態データを複数受信する手順と、
前記受信した複数の状態データが示す状態に基づいて、前記蓄電池の劣化状態を推定する手順とを実行させる。【００１３】
また、本発明の目的は、上記プログラムが記録された記録媒体によっても達成可能である。【００１４】
また、本発明の蓄電システムは、
情報処理装置と、複数の蓄電装置とを有する蓄電システムであって、
前記複数の蓄電装置はそれぞれ、
当該蓄電装置が具備する蓄電池の状態を測定する測定部と、
前記測定部が測定した状態を示す状態データを前記情報処理装置へ送信する送信部と、
前記送信部が前記状態データを送信する送信タイミングを制御する制御部とを有し、
前記制御部は、前記複数の蓄電装置のうち当該蓄電装置以外の蓄電装置とは互いに異なるタイミングで、前記送信部が前記状態データを送信するように、前記送信タイミングを制御する。
【発明の効果】
【００１５】
以上説明したように、本発明においては、蓄電池の状態を把握するための処理にかかる負荷を軽減することができる。
【図面の簡単な説明】
【００１６】
【図１】図１は、蓄電池の使用形態や環境の違いによる蓄電池の容量劣化量の変化の一例を示す図である。
【図２】図２は、蓄電池の等価回路の一例を示す図である。
【図３】図３は、蓄電池の充電時または充電終了時の電圧値の時刻応答の一例を示す図である。
【図４】図４は、本発明の蓄電装置を用いた第１の実施の形態を示す図である。
【図５】図５は、図４に示した蓄電装置の内部構成の一例を示している。
【図６】図６は、図５に示した記憶部が記憶している状態データと測定時刻との対応付けの一例を示す図である。
【図７】図７は、図５に示した制御部が制御した、送信部が送信する状態データの一例を説明するための図である。
【図８】図８は、図５に示した蓄電装置における通知方法の一例を説明するためのフローチャートである。
【図９】図９は、図４に示した情報処理装置の内部構成の一例を示している。
【図１０】図１０は、図９に示した情報処理装置における推定方法の一例を説明するためのフローチャートである。
【図１１】図１１は、図９に示した推定部が状態データを重ね合わせた様子の一例を示す図である。
【図１２】図１２は、本発明の蓄電装置を用いた第２の実施の形態（蓄電システム）を示す図である。
【図１３】図１３は、図１２に示した蓄電装置の内部構成の一例を示す図である。
【図１４】図１４は、図１３に示した制御部が制御した、蓄電装置からの状態データの送信タイミングの一例を示す図である。
【図１５】図１５は、図１２に示した情報処理装置の内部構成の一例を示している。
【図１６】図１６は、図１２に示した蓄電システムにおける推定方法の一例を説明するためのシーケンス図である。
【図１７】図１７は、本発明の蓄電装置を用いた第３の実施の形態を示す図である。
【図１８】図１８は、図１７に示した情報処理装置の内部構成の一例を示している。
【図１９】図１９は、図１８に示した推定部が蓄電装置から送信されてきた状態データ（測定データ）を重ね合わせた様子の一例を示す図である。
【図２０】図２０は、図１８に示した情報処理装置における推定方法を説明するためのフローチャートである。
【図２１】図２１は、本発明の蓄電装置を用いた第４の実施の形態を示す図である。
【図２２】図２２は、図２１に示した蓄電装置の内部構成の一例を示している。
【図２３】図２３は、図２２に示した制御部が制御した、送信部が送信する状態データの送信タイミングの一例を説明するための図である。
【図２４】図２４は、図２２に示した蓄電装置における通知方法の一例を説明するためのフローチャートである。
【図２５】図２５は、本発明の蓄電装置を用いた第５の実施の形態を示す図である。
【図２６】図２６は、図２５に示した蓄電装置の内部構成の一例を示している。
【図２７】図２７は、図２６に示した制御部が制御した、送信部が送信する状態データの一例を説明するための図である。
【図２８】図２８は、図２６に示した蓄電装置における通知方法の一例を説明するためのフローチャートである。
【図２９】図２９は、本発明の蓄電装置を用いた第６の実施の形態を示す図である。
【図３０】図３０は、図２９に示した蓄電装置における通知方法の一例を説明するためのフローチャートである。
【図３１】図３１は、本発明の蓄電装置を用いた第７の実施の形態（蓄電システム）を示す図である。
【図３２】図３２は、図３１に示した蓄電装置の内部構成の一例を示す図である。
【図３３】図３３は、図３１に示した蓄電システムにおける推定方法の一例を説明するためのシーケンス図である。
【図３４】図３４は、本発明の情報処理装置の実施の一形態を示す図である。
【図３５】図３５は、図３４に示した情報処理装置における推定方法を説明するためのフローチャートである。
【発明を実施するための形態】
【００１７】
以下に本発明の実施の形態について図面を参照して説明する。
【００１８】
図１は、蓄電池の使用形態や環境の違いによる蓄電池の容量劣化量の変化の一例を示す図である。図１に示すように、一般的に高温環境で使用されている蓄電池の劣化の進行は、低温環境で使用されている蓄電池の劣化の進行よりも速い傾向にある。また、蓄電池と太陽電池（ＰＶ：Ｐｈｏｔｏｖｏｌｔａｉｃ）との連携動作を行っている場合がある。蓄電池は、電力価格の安い時間帯(例えば夜間)に充電される。そして日中の消費電力はＰＶが発電した電力で賄われる。ＰＶが発電する電力がその消費電力を上回れば、その余剰分の電力は、売電される。この際、蓄電池に充電された電力を売電することはできないため、蓄電池に充電された電力は日中ほとんど使用されず、満充電状態で維持される。そして、ＰＶからの発電量が小さな日没後に放電を開始することになる。
【００１９】
また、太陽光発電は地域による発電量が大きく異なる。日本においては日照時間が比較的長い太平洋側の平地に対して、日本海側は冬季の日照時間は大幅に異なる。さらに、１日の間でも、天候が晴れ、曇り、雨で発電量が大幅に変化する。このため、雨のち晴れのような天候では、蓄電池の電力を使い切った後に、ＰＶで蓄電池を充電することも考えられる。この場合、蓄電池が１日に２回充放電されることから、各蓄電池の設置からの期間が同じであっても、蓄電池ごとに蓄電池の容量劣化は大きく変化する。従って、ＰＶと連携動作を行う蓄電池は、ＰＶと連携動作を行わない蓄電池よりも、満充電保管における劣化が進行しやすくなる。
【００２０】
また、ＰＶと連係動作を行うか行わないかに限らず、異常が検出されていない蓄電池の劣化の速度に比べて、異常が検出された蓄電池の劣化速度は速いものとなる。図１に示すように、ある蓄電池について、通常の劣化の傾きからのずれが検出された場合、その蓄電池に異常が生じたと判断できる。また、非常用電源として、常時蓄電池容量の２０〜３０％を備蓄するような使い方は、常に蓄電池容量を使い切る使い方よりも蓄電池の劣化を進める傾向にある。
【００２１】
上述したような劣化が進行する蓄電池の状態を互いに比較した相関をクラウド上で抽出することによって、同じような条件下で使用されている蓄電池の容量劣化の傾向を特定することが可能となる。そのため、詳細な電池の測定データがなくとも、使用期間が異なる蓄電池の将来寿命を推定することが可能となる。同じ条件で使用されている蓄電池の容量劣化傾向が少しずれる傾向が生じた場合には、その蓄電池について通常の劣化とは異なるモードの劣化が生じている可能性が高くなる。そのため、クラウド上から注視することによって、蓄電池の故障を事前に推定し、部品等の交換準備を進めることによって、ユーザーの不便さを解消することができる。
【００２２】
図２は、蓄電池の等価回路の一例を示す図である。図２に示すように、蓄電池は、２つの抵抗器と１つのコンデンサとから構成される等価回路で近似することができる。放電を開始すると、蓄電池の電圧値は、周波数成分が高いため抵抗Ｒｅに依存し、その後、周波数成分が０となると抵抗Ｒｃｔおよびコンデンサの容量Ｃｄｌに依存する。放電が終了する際は、その電圧値は、周波数成分が高いため抵抗Ｒｅに依存し、その後、抵抗Ｒｃｔおよびコンデンサの容量Ｃｄｌに依存する。
【００２３】
図３は、蓄電池の充電時または充電終了時の電圧値の時刻応答の一例を示す図である。一般的に蓄電池には内部抵抗が存在し、電流が流れている間は、ＩＲ分（I:電流、R:内部抵抗）の電圧上昇（充電）、電圧降下（放電）が実際の蓄電池に重畳されている。充放電が終わった瞬間、ＩＲ成分が消滅するため、この部分の電圧成分が測定できれば、蓄電池の内部抵抗が測定可能となる。蓄電池の内部抵抗については、充放電サイクルが増えるにしたがって増加する傾向にあり、蓄電池の容量劣化および出力劣化を推定する上での指標となる。これらの値をクラウド上で収集するデータで推定する場合、電圧値の測定間隔が大きな場合は、瞬時的に変化する値を見逃してしまうことになる。一方、瞬時応答に対して長時間となる緩和特性に関しては、比較的長時間のデータ収集間隔であっても十分な推定精度を得ることができる。
【００２４】
（第１の実施の形態）
図４は、本発明の蓄電装置を用いた第１の実施の形態を示す図である。
【００２５】
本形態は図４に示すように、複数の蓄電装置１００−１〜１００−３と、情報処理装置２００と、通信ネットワーク３００とを有する。なお、図４には、蓄電装置１００−１〜１００−３が３つである場合を例に挙げて示しているが、この数に限らない。
【００２６】
通信ネットワーク３００は、一般的な通信ネットワークで良く、蓄電装置１００−１〜１００−３と、情報処理装置２００との間の通信を行う。
【００２７】
図５は、図４に示した蓄電装置１００−１の内部構成の一例を示している。図４に示した蓄電装置１００−１は図５に示すように、蓄電池１１０と、測定部１２０と、記憶部１３０と、送信部１４０と、制御部１５０とを有する。なお、図５には、図４に示した蓄電装置１００−１が具備する構成要素のうち、本実施の形態に関わる主要な構成要素の一例を示す。また、図４に示した蓄電装置１００−２，１００−３の内部構成は、蓄電装置１００−１の内部構成と同じで良い。
【００２８】
蓄電池１１０は、充電および放電が可能な二次電池である。蓄電池１１０は、複数の電池セルが直列または並列または直並列に接続されたものであっても良い。
【００２９】
測定部１２０は、蓄電池１１０の状態を測定する。測定部１２０が測定する蓄電池１１０の状態とは、蓄電池１１０の電圧、電流、ＳＯＣ（Ｓｔａｔｅ  Ｏｆ  Ｃｈａｒｇｅ）、温度、電流積算値、総充放電電力量などである。測定部１２０は、これらの測定項目のいずれか１つを測定するものであっても良いし、複数を組み合わせて測定するものであっても良い。また、測定部１２０が蓄電池１１０の状態を測定するタイミングは、例えば、ある周期のように、あらかじめ設定されたタイミングであっても良い。
【００３０】
記憶部１３０は、測定部１２０が測定した蓄電池１１０の状態を示す状態データと、測定した測定時刻と、を対応付けて記憶するデータベースである。
【００３１】
図６は、図５に示した記憶部１３０が記憶している状態データと測定時刻との対応付けの一例を示す図である。図５に示した記憶部１３０は図６に示すように、測定時刻と、その時刻に測定部１２０が測定した蓄電池１１０の状態を示す状態データとが対応付けて記憶している。図６には、測定部１２０が、１分毎に蓄電池１１０の状態を測定する場合を例に挙げて示している。
【００３２】
送信部１４０は、記憶部１３０が記憶している状態データを通信ネットワーク３００へ送信する。また、送信部１４０は、記憶部１３０が記憶している状態データのうち、複数の状態データを１度に送信するものであっても良い。
【００３３】
制御部１５０は、送信部１４０が送信する状態データが日毎に異なる測定時刻の状態データとなるように、送信部１４０を制御する。また制御部１５０は、蓄電池１１０の充放電を制御する。
【００３４】
図７は、送信部１４０が送信する状態データの一例を説明するための図である。図７では、図５に示した状態データのうち送信部１４０が送信した送信データを斜線で示す。図７に示すように、１日目では、送信部１４０は、測定部１２０が測定した時刻が１０時００分から５分おきの状態データを送信する。また２日目では、送信部１４０は、測定部１２０が測定した時刻が１０時０１分から５分おきの状態データを送信する。また、３日目では、送信部１４０は、測定部１２０が測定した時刻が１０時０２分から５分おきの状態データを送信する。このように、制御部１５０は、送信部１４０が送信する状態データが、日毎に異なる測定時刻の状態データとなるように制御する。こうすることで、情報処理装置２００がこれらの状態データをその測定時刻に従って重ね合わせれば、１分おきの状態を測定したデータが収集できるものと同等の結果を得ることができる。
【００３５】
ここで、蓄電装置１００−１の実際のハードウェア構成として、ＢＭＵ（Ｂａｔｔｅｒｙ  Ｍａｎａｇｅｍｅｎｔ  Ｕｎｉｔ）およびシステムコントローラ（図５に示した構成では、送信部１４０と制御部１５０とが含まれる）を有する場合、ＢＭＵに含まれる測定部１２０が蓄電池の状態を測定し、記憶部１３０が測定データを記憶する。送信部１４０が、ＢＭＵと同期している場合、記憶部１３０に記憶されたデータをそのまま読み出して取得するケースと、データを加工（データを選別する、平均化する等）して取得するケースとがある。したがって、これらのケースに応じたタイミングで送信部１４０がデータを取得することとなる。他の要因で優先順位が決まる可能性もあることは言うまでもない。このことは、以下に説明する実施の形態についても同様である。
【００３６】
また、蓄電装置１００−１は、必要に応じてセルバランス動作を行い、必要に応じて入出力電力を遮断するスイッチを有する。
【００３７】
以下に、図５に示した蓄電装置１００−１における通知方法について説明する。図８は、図５に示した蓄電装置１００−１における通知方法の一例を説明するためのフローチャートである。
【００３８】
まず、測定部１２０は、蓄電池１１０の状態を測定する（ステップＳ１）。すると、記憶部１３０は、測定部１２０が測定した蓄電池の状態を示す状態データを、測定した測定時刻と対応付けて記憶する（ステップＳ２）。
【００３９】
続いて、送信部１４０は、制御部１５０からの制御に従って、日毎に異なる測定時刻の状態データを記憶部１３０から読み出す（ステップＳ３）。そして、送信部１４０は、読み出した状態データを情報処理装置２００へ送信する（ステップＳ４）。このとき、送信部１４０は、状態データとともに、その状態データと対応付けられて記憶されていた測定時刻も情報処理装置２００へ送信する。
【００４０】
情報処理装置２００は、蓄電装置１００−１〜１００−３から送信されてきた蓄電池の状態データに示された蓄電池の状態に基づいて、その蓄電池の劣化状態を推定する。情報処理装置２００は、サーバ装置であっても良いし、一般的なＰＣ（Ｐｅｒｓｏｎａｌ  Ｃｏｍｐｕｔｅｒ）であっても良いし、携帯通信端末であっても良く、通信機能および所定の処理を行う機能を具備しているものであれば良い。
【００４１】
図９は、図４に示した情報処理装置２００の内部構成の一例を示している。図４に示した情報処理装置２００は図９に示すように、受信部２１０と、推定部２３０とを有する。なお、図９には、図４に示した情報処理装置２００が具備する構成要素のうち、本実施の形態に関わる主要な構成要素の一例を示す。
【００４２】
受信部２１０は、蓄電装置１００−１〜１００−３から送信された、蓄電装置１００−１〜１００−３が具備する蓄電池の状態を示す状態データを複数受信する。
【００４３】
推定部２３０は、受信部２１０が受信した複数の状態データが示す状態に基づいて、蓄電池の劣化状態を推定する。具体的には、推定部２３０は、受信部２１０が受信した、日毎に異なる測定時刻に応じた状態データを、その測定時刻に従って重ね合わせ、重ね合わせた結果に基づいて、蓄電池の劣化状態を推定する。
【００４４】
以下に、図９に示した情報処理装置２００における推定方法について説明する。図１０は、図９に示した情報処理装置２００における推定方法の一例を説明するためのフローチャートである。
【００４５】
蓄電装置１００−１〜１００−３から蓄電池の状態データが送信されてくると、受信部２１０がその状態データを受信する（ステップＳ１１）。推定部２３０は、受信部２１０が受信した日毎に異なる測定時刻に応じた状態データを、その測定時刻に従って重ね合わせる（ステップＳ１２）。
【００４６】
図１１は、図９に示した推定部２３０が状態データを重ね合わせた様子の一例を示す図である。図１１に示すように、推定部２３０は、１日目から５日目に送信されてきた状態データ（測定データ）を時刻に応じて重ね合わせている。蓄電装置１００−１〜１００−３から送信されてくる測定データの測定時刻が日毎にずれている。このため、日単位では測定間隔が広いデータであっても、それらを重ね合わせることで、その測定間隔が狭くなる。
【００４７】
そして、推定部２３０は、重ね合わせた状態データを用いて蓄電池の劣化状態を推定する（ステップＳ１３）。推定部２３０は、重ね合わせた状態データが示す蓄電池の満充電時の電圧値が所定の閾値よりも低い場合に、蓄電池の劣化が進んでいると推定してもよい。または、推定部２３０は、蓄電池の容量の経過日数に従う減少の割合（傾き）が通常よりも大きい場合、蓄電池の温度変化が大きい場合等にその蓄電池の劣化が進んでいると推定するものであっても良く、ここでは特に規定しない。
【００４８】
瞬時応答が行われる時間帯のデータを十分収集するためには、サンプリング間隔を短く設定しても良い。常時数多くのデータを収集するためには、制御システム側のＣＰＵ（Ｃｅｎｔｒａｌ  Ｐｒｏｃｅｓｓｉｎｇ  Ｕｎｉｔ）演算速度やメモリ量を十分確保しなければならず、ハードウェアコストが上昇してしまう。
【００４９】
そこで、本形態のように、蓄電装置１００−１〜１００−３が情報処理装置２００へ送信する蓄電池の状態データを、決められた期間（たとえば１週間毎）に対して決められた時間間隔でオフセットする。つまり、蓄電装置１００−１〜１００−３が情報処理装置２００へ送信する蓄電池の状態データを、日毎にずらした測定時刻のものとする。そして、情報処理装置２００は、送信されてきた状態データを時刻に応じて重ね合わせる。これより、日単位では、情報処理装置の負荷を軽減させるために送信するデータ量は少ないものであっても、精密なデータを得ることができる。
【００５０】
（第２の実施の形態）
図１２は、本発明の蓄電装置を用いた第２の実施の形態（蓄電システム）を示す図である。
【００５１】
本形態は図１２に示すように、複数の蓄電装置１０１−１〜１０１−３と、情報処理装置２０１と、通信ネットワーク３０１とを有する。なお、図１２には、蓄電装置１０１−１〜１０１−３が３つである場合を例に挙げて示しているが、この数に限らない。
【００５２】
通信ネットワーク３０１は、一般的な通信ネットワークで良く、蓄電装置１０１−１〜１０１−３と、情報処理装置２０１との間の通信を行う。
【００５３】
図１３は、図１２に示した蓄電装置１０１−１の内部構成の一例を示す図である。図１２に示した蓄電装置１０１−１は図１３に示すように、蓄電池１１１と、測定部１２１と、記憶部１３１と、送信部１４１と、制御部１５１とを有する。なお、図１３には、図１２に示した蓄電装置１０１−１が具備する構成要素のうち、本実施の形態に関わる主要な構成要素の一例を示す。また、図１２に示した蓄電装置１０１−２，１０１−３の内部構成は、蓄電装置１０１−１の内部構成と同じで良い。
【００５４】
蓄電池１１１は、充電および放電が可能な二次電池である。蓄電池１１１は、複数の電池セルが直列または並列または直並列に接続されたものであっても良い。
【００５５】
測定部１２１は、蓄電池１１１の状態を測定する。測定部１２１が測定する蓄電池１１１の状態とは、蓄電池１１１の電圧、電流、ＳＯＣ、温度、電流積算値、総充放電電力量などである。測定部１２１は、これらの測定項目のいずれか１つを測定するものであっても良いし、複数を組み合わせて測定するものであっても良い。また、測定部１２１が蓄電池１１１の状態を測定するタイミングは、例えば、ある周期のようにあらかじめ設定されたタイミングであっても良い。
【００５６】
記憶部１３１は、測定部１２１が測定した蓄電池１１１の状態を示す状態データと、測定した測定時刻と、を対応付けて記憶するデータベースである。この対応付けについては、第１の実施の形態と同じである。
【００５７】
送信部１４１は、記憶部１３１が記憶している状態データを通信ネットワーク３０１へ送信する。また、送信部１４１は、記憶部１３１が記憶している状態データのうち、複数の状態データを１度に送信するものであっても良い。
【００５８】
制御部１５１は、送信部１４１が状態データを送信するタイミングを制御する。具体的には、制御部１５１は、蓄電装置１０１−１〜１０１−３のうち当該蓄電装置１０１−１以外の蓄電装置１０１−２，１０１−３とは互いに異なるタイミングで、送信部１４１が状態データを情報処理装置２０１へ送信するように、送信タイミングを制御する。また、制御部１５１は、送信部１４１が状態データを送信する送信タイミングを蓄電装置１０１−１〜１０１−３間で日毎にローテーションさせるものであっても良い。また、情報処理装置２０１が、それぞれの送信タイミングを通知してきた場合、制御部１５１は、通知された送信タイミングで送信部１４１が状態データを送信するように制御する。制御部１５１は、蓄電池１１１への充放電を制御する。
【００５９】
図１４は、図１３に示した制御部１５１が制御した、蓄電装置１０１−１〜１０１−３からの状態データの送信タイミングの一例を示す図である。図１４に示すように、蓄電装置１０１−１から状態データが送信されるタイミングは、他の蓄電装置１０１−２，１０１−３から状態データが送信されるタイミングとは異なるタイミングとなっている。また、蓄電装置１０１−２から状態データが送信されるタイミングは、他の蓄電装置１０１−１，１０１−３から状態データが送信されるタイミングとは異なるタイミングとなっている。また、蓄電装置１０１−３から状態データが送信されるタイミングは、他の蓄電装置１０１−１，１０１−２から状態データが送信されるタイミングとは異なるタイミングとなっている。
【００６０】
また、蓄電装置１０１−１は、必要に応じてセルバランス動作を行い、必要に応じて入出力電力を遮断するスイッチを有する。
【００６１】
図１５は、図１２に示した情報処理装置２０１の内部構成の一例を示している。図１２に示した情報処理装置２０１は図１５に示すように、受信部２１１と、推定部２３１と、送信タイミング制御部２４１とを有する。なお、図１５には、図１２に示した情報処理装置２０１が具備する構成要素のうち、本実施の形態に関わる主要な構成要素の一例を示す。
【００６２】
受信部２１１は、蓄電装置１０１−１〜１０１−３から送信された、蓄電装置１０１−１〜１０１−３が具備する蓄電池の状態を示す状態データを複数受信する。
【００６３】
推定部２３１は、受信部２１１が受信した複数の状態データが示す状態に基づいて、蓄電池の劣化状態を推定する。具体的には、推定部２３１は、受信部２１１が受信した、蓄電装置１０１−１〜１０１−３から送信されてきた状態データを測定時刻に従って重ね合わせ、重ね合わせた結果に基づいて、蓄電池の劣化状態を推定する。
【００６４】
送信タイミング制御部２４１は、蓄電装置１０１−１〜１０１−３それぞれに対して、当該蓄電装置以外の蓄電装置とは互いに異なる送信タイミングを通知する。
【００６５】
以下に、図１２に示した蓄電システムにおける通知方法について説明する。図１６は、図１２に示した蓄電システムにおける推定方法の一例を説明するためのシーケンス図である。ここでは、蓄電装置１０１−１〜１０１−３から状態データを送信する送信タイミングを、情報処理装置２０１の送信タイミング制御部２４１が決定する場合を例に挙げて説明する。
【００６６】
まず、蓄電装置１０１−１の測定部１２１は、蓄電装置１０１−１の蓄電池１１１の状態を測定する（ステップＳ２１）。すると、蓄電装置１０１−１の記憶部１３１は、蓄電装置１０１−１の測定部１２１が測定した蓄電池の状態を示す状態データを、測定した測定時刻と対応付けて記憶する（ステップＳ２２）。同様に、蓄電装置１０１−２の測定部１２１は、蓄電装置１０１−２の蓄電池１１１の状態を測定する（ステップＳ２３）。すると、蓄電装置１０１−２の記憶部１３１は、蓄電装置１０１−２の測定部１２１が測定した蓄電池の状態を示す状態データを、測定した測定時刻と対応付けて記憶する（ステップＳ２４）。同様に、蓄電装置１０１−３の測定部１２１は、蓄電装置１０１−３の蓄電池１１１の状態を測定する（ステップＳ２５）。すると、蓄電装置１０１−３の記憶部１３１は、蓄電装置１０１−３の測定部１２１が測定した蓄電池の状態を示す状態データを、測定した測定時刻と対応付けて記憶する（ステップＳ２６）。
【００６７】
また、情報処理装置２０１の送信タイミング制御部２４１は、蓄電装置１０１−１〜１０１−３それぞれから状態データを送信する送信タイミングを決定する（ステップＳ２７）。ここで、送信タイミング制御部２４１は、蓄電装置１０１−１〜１０１−３それぞれからの状態データの送信タイミングが互いに重ならないように、それぞれの送信タイミングを決定する。また、例えば、送信タイミング制御部２４１は、状態データの１日目の送信順序を、蓄電装置１０１−１、蓄電装置１０１−２、蓄電装置１０１−３とし、翌日の送信順序を、蓄電装置１０１−２、蓄電装置１０１−３、蓄電装置１０１−１とし、その翌日の送信順序を、蓄電装置１０１−３、蓄電装置１０１−１、蓄電装置１０１−２とするように、日単位で送信順序をローテーションするものであっても良い。続いて、送信タイミング制御部２４１は、決定した送信タイミングを蓄電装置１０１−１〜１０１−３へ通知する（ステップＳ２８）。
【００６８】
その後、蓄電装置１０１−１〜１０１−３それぞれの送信部１４１は、情報処理装置２０１から通知されたタイミングで、記憶部１３１から状態データを読み出して、読み出した状態データを情報処理装置２０１へ送信する（ステップＳ２９）。
【００６９】
情報処理装置２０１の受信部２１１が、蓄電装置１０１−１〜１０１−３から送信されてきた状態データを受信すると、推定部２３１は、受信部２１１が受信した状態データを測定時刻に従って重ね合わせる（ステップＳ３０）。続いて、推定部２３１は、重ね合わせた結果に基づいて、蓄電池の劣化状態を推定する（ステップＳ３１）。
【００７０】
このように、蓄電装置１０１−１〜１０１−３が互いに異なる送信タイミングで蓄電池の状態を示す状態データを情報処理装置２０１へ送信する。そのため、通信ネットワーク３０１における輻輳を防止することができる。
【００７１】
（第３の実施の形態）
図１７は、本発明の蓄電装置を用いた第３の実施の形態を示す図である。
【００７２】
本形態は図１７に示すように、複数の蓄電装置１０２−１〜１０２−３と、情報処理装置２０２と、通信ネットワーク３０２とを有する。なお、図１７には、蓄電装置１０２−１〜１０２−３が３つである場合を例に挙げて示しているが、この数に限らない。
【００７３】
蓄電装置１０２−１〜１０２−３は、それぞれ蓄電池を具備し、その蓄電池の状態を測定し、測定した結果を状態データとして通信ネットワーク３０２を介して情報処理装置２０２へ送信する。また、蓄電装置１０２−１〜１０２−３は、必要に応じてセルバランス動作を行い、必要に応じて入出力電力を遮断するスイッチを有する。
【００７４】
通信ネットワーク３０２は、一般的な通信ネットワークで良く、蓄電装置１０２−１〜１０２−３と、情報処理装置２０２との間の通信を行う。
【００７５】
図１８は、図１７に示した情報処理装置２０２の内部構成の一例を示している。図１７に示した情報処理装置２０２は図１８に示すように、受信部２１２と、グループ化部２２２と、推定部２３２とを有する。なお、図１８には、図１７に示した情報処理装置２０２が具備する構成要素のうち、本実施の形態に関わる主要な構成要素の一例を示す。
【００７６】
受信部２１２は、蓄電装置１０２−１〜１０２−３から送信された、蓄電装置１０２−１〜１０２−３が具備する蓄電池の状態を示す状態データを複数受信する。
【００７７】
グループ化部２２２は、複数の蓄電装置１０２−１〜１０２−３をグループに分ける。このグループ分けは、例えば、蓄電装置１０２−１〜１０２−３が設置されている地域に基づいたグループ分け、蓄電装置１０２−１〜１０２−３が設置された設置時期に基づいたグループ分け、蓄電装置１０２−１〜１０２−３それぞれが蓄電池を複数具備しているか否かに基づいたグループ分け、蓄電装置１０２−１〜１０２−３の運用方法（常に一定量を確保しておくバックアップ用途、太陽光発電との連携運転における日照時間、昼間のピークカット等）に基づいたグループ分け、蓄電装置１０２−１〜１０２−３の製造元が互いに同じか否かに基づいたグループ分けが挙げられる。
【００７８】
推定部２３２は、グループ化部２２２が分けたグループごとに、受信部２１２が受信した状態データが示す状態に基づいて、蓄電池の劣化状態を推定する。具体的には、推定部２３２は、受信部２１２が受信した、蓄電装置１０２−１〜１０２−３から送信されてきた状態データのうち、グループ化部２２２が分けた１つのグループ毎にその状態データが示す状態を測定時刻に従って重ね合わせ、重ね合わせた結果に基づいて、蓄電池の劣化状態を推定する。
【００７９】
図１９は、図１８に示した推定部２３２が蓄電装置１０２−１〜１０２−３から送信されてきた状態データ（測定データ）を重ね合わせた様子の一例を示す図である。ここでは、グループ化部２２２が、蓄電装置１０２−１〜１０２−３を１つのグループとしてグループ化した場合を例に挙げて示している。
【００８０】
図１９に示すように、蓄電装置１０２−１から送信されてきた測定データの電圧値と、蓄電装置１０２−２から送信されてきた測定データの電圧値と、蓄電装置１０２−３から送信されてきた測定データの電圧値とが測定時刻に従って、マージされている。
【００８１】
以下に、図１８に示した情報処理装置２０２における推定方法について説明する。図２０は、図１８に示した情報処理装置２０２における推定方法を説明するためのフローチャートである。
【００８２】
蓄電装置１０２−１〜１０２−３から蓄電池の状態データが送信されてくると、受信部２１２がその状態データを受信する（ステップＳ４１）。また、グループ化部２２２は、蓄電装置１０２−１〜１０２−３をグループに分ける。ここでは、蓄電装置１０２−１〜１０２−３が１つのグループに属するものとするため、グループ化部２２２は、受信部２１２が受信した状態データを１つのグループにまとめる（ステップＳ４２）。
【００８３】
続いて、推定部２３２は、グループ化部２２２が分けたグループ毎に、受信部２１２が受信した状態データが示す状態を測定時刻に従って重ね合わせ、重ね合わせた結果に基づいて、蓄電池の劣化状態を推定する（ステップＳ４３）。この推定方法は、重ね合わせた結果、蓄電池の満充電時の電圧値が所定の閾値よりも低い場合や、蓄電池の容量の経過日数に従う減少の割合（傾き）が通常よりも大きい場合、蓄電池の温度変化が激しい場合等、その蓄電池の劣化が進んでいると推定するものであっても良く、ここでは特に規定しない。
【００８４】
このように、蓄電装置から送信されてきた状態データを、所定のグループに分け、グループ毎に状態データを重ね合わせることで、蓄電池単位では送信するデータ量は少ないものであっても、精密なデータを得ることができる。
【００８５】
（第４の実施の形態）
図２１は、本発明の蓄電装置を用いた第４の実施の形態を示す図である。
【００８６】
本形態は図２１に示すように、複数の蓄電装置１０３−１〜１０３−３と、情報処理装置２０３と、通信ネットワーク３０３とを有する。なお、図２１には、蓄電装置１０３−１〜１０３−３が３つである場合を例に挙げて示しているが、この数に限らない。
【００８７】
通信ネットワーク３０３は、一般的な通信ネットワークで良く、蓄電装置１０３−１〜１０３−３と、情報処理装置２０３との間の通信を行う。
【００８８】
図２２は、図２１に示した蓄電装置１０３−１の内部構成の一例を示している。図２１に示した蓄電装置１０３−１は図２２に示すように、蓄電池１１３と、測定部１２３と、記憶部１３３と、送信部１４３と、制御部１５３とを有する。なお、図２２には、図２１に示した蓄電装置１０３−１が具備する構成要素のうち、本実施の形態に関わる主要な構成要素の一例を示す。また、図２１に示した蓄電装置１０３−２，１０３−３の内部構成は、蓄電装置１０３−１の内部構成と同じで良い。
【００８９】
蓄電池１１３は、充電および放電が可能な二次電池である。蓄電池１１３は、複数の電池セルが直列または並列または直並列に接続されたものであっても良い。
【００９０】
測定部１２３は、蓄電池１１３の状態を測定する。測定部１２３が測定する蓄電池１１３の状態とは、蓄電池１１３の電圧、電流、ＳＯＣ、温度、電流積算値、総充放電電力量などである。測定部１２３は、これらの測定項目のいずれか１つを測定するものであっても良いし、複数を組み合わせて測定するものであっても良い。また、測定部１２３が蓄電池１１３の状態を測定するタイミングは、例えば、ある周期のようにあらかじめ設定されたタイミングであっても良い。
【００９１】
記憶部１３３は、測定部１２３が測定した蓄電池１１３の状態を示す状態データと、測定した測定時刻と、を対応付けて記憶するデータベースである。記憶部１３３における記憶の形態は、第１の実施の形態におけるものと同じで良い。
【００９２】
送信部１４３は、記憶部１３３が記憶している状態データを通信ネットワーク３０３へ送信する。また、送信部１４３は、記憶部１３３が記憶している状態データのうち、複数の状態データを１度に送信するものであっても良い。
【００９３】
制御部１５３は、送信部１４３からの状態データの送信を制御する。具体的には、制御部１５３は、送信部１４３から送信される状態データが、１日単位でその測定時刻がある期間にある状態データとなるように、送信部１４３を制御する。また、制御部１５３は、１日単位で設定した期間が、複数の日で互いに重なる部分が生じるように、その期間を設定する。制御部１５３は、蓄電池１１３への充放電を制御する。
【００９４】
図２３は、図２２に示した制御部１５３が制御した、送信部１４３が送信する状態データの送信タイミングの一例を説明するための図である。図２３において、制御部１５３が制御した、送信部１４３が送信する状態データを太線で示している。図２３に示すように、１日目に送信部１４３が送信する状態データの測定時刻の期間と、２日目に送信部１４３が送信する状態データの測定時刻の期間とが、一部被るように制御されている。また、２日目に送信部１４３が送信する状態データの測定時刻の期間と、３日目に送信部１４３が送信する状態データの測定時刻の期間とが、一部被るように制御されている。また、３日目に送信部１４３が送信する状態データの測定時刻の期間と、４日目に送信部１４３が送信する状態データの測定時刻の期間とが、一部被るように制御されている。
【００９５】
また、蓄電装置１０３−１は、必要に応じてセルバランス動作を行い、必要に応じて入出力電力を遮断するスイッチを有する。
【００９６】
情報処理装置２０３は、蓄電装置１０３−１〜１０３−３から送信されてきた蓄電池の状態データに示された蓄電池の状態に基づいて、その蓄電池の劣化状態を推定する。情報処理装置２０３は、サーバ装置であっても良いし。一般的なＰＣであっても良いし、携帯通信端末であっても良く、通信機能および所定の処理を行う機能を具備しているものであれば良い。情報処理装置２０３が具備する要素およびその動作については、第１の実施の形態と同じで良い。
【００９７】
以下に、図２２に示した蓄電装置１０３−１における通知方法について説明する。図２４は、図２２に示した蓄電装置１０３−１における通知方法の一例を説明するためのフローチャートである。
【００９８】
まず、測定部１２３は、蓄電池１１３の状態を測定する（ステップＳ５１）。すると、記憶部１３３は、測定部１２３が測定した蓄電池の状態を示す状態データを、測定した測定時刻と対応付けて記憶する（ステップＳ５２）。
【００９９】
続いて、制御部１５３は、１日単位で設定した期間が、複数の日で互いに重なる部分が生じるように、その期間を設定し、測定時刻がその期間にある状態データとなるように、１日単位で送信部１４３を制御する。送信部１４３は、制御部１５３からの制御に従って、記憶部１３３から状態データを読み出す（ステップＳ５３）。そして、送信部１４３は、読み出した状態データを情報処理装置２０３へ送信する（ステップＳ５４）。
【０１００】
このように、蓄電装置１０３−１〜１０３−３は、情報処理装置２０３へ送信する蓄電池の状態データを、日毎にずらした測定期間に含まれるのものとし、さらに、その期間が複数の日で互いに重なる部分が生じるように制御する。そして、情報処理装置２０３が、各蓄電池から送信されてきた状態データを時刻に応じて重ね合わせる。これより、日単位では、情報処理装置の負荷を軽減させるために送信するデータ量は少ないものであっても、精密なデータを得ることができる。
【０１０１】
（第５の実施の形態）
図２５は、本発明の蓄電装置を用いた第５の実施の形態を示す図である。
【０１０２】
本形態は図２５に示すように、複数の蓄電装置１０４−１〜１０４−３と、情報処理装置２０４と、通信ネットワーク３０４とを有する。なお、図２５には、蓄電装置１０４−１〜１０４−３が３つである場合を例に挙げて示しているが、この数に限らない。
【０１０３】
通信ネットワーク３０４は、一般的な通信ネットワークで良く、蓄電装置１０４−１〜１０４−３と、情報処理装置２０４との間の通信を行う。
【０１０４】
図２６は、図２５に示した蓄電装置１０４−１の内部構成の一例を示している。図２５に示した蓄電装置１０４−１は図２６に示すように、蓄電池１１４と、測定部１２４と、記憶部１３４と、送信部１４４と、制御部１５４とを有する。なお、図２６には、図２５に示した蓄電装置１０４−１が具備する構成要素のうち、本実施の形態に関わる主要な構成要素の一例を示す。また、図２５に示した蓄電装置１０４−２，１０４−３の内部構成は、蓄電装置１０４−１の内部構成と同じで良い。
【０１０５】
蓄電池１１４は、充電および放電可能な二次電池である。蓄電池１１４は、複数の電池セルが直列または並列または直並列に接続されたものであっても良い。
【０１０６】
測定部１２４は、蓄電池１１４の状態を測定する。測定部１２４が測定する蓄電池１１４の状態とは、蓄電池１１４の電圧、電流、ＳＯＣ、温度、電流積算値、総充放電電力量などである。測定部１２４は、これらの測定項目のいずれか１つを測定するものであっても良いし、複数を組み合わせて測定するものであっても良い。また、測定部１２４が蓄電池１１４の状態を測定するタイミングは、例えば、ある周期のようにあらかじめ設定されたタイミングであっても良い。
【０１０７】
記憶部１３４は、測定部１２４が測定した蓄電池１１４の状態を示す状態データと、測定した測定時刻と、を対応付けて記憶するデータベースである。記憶部１３４における記憶の形態は、第１の実施の形態におけるものと同じで良い。
【０１０８】
送信部１４４は、記憶部１３４が記憶している状態データを通信ネットワーク３０４へ送信する。また、送信部１４４は、記憶部１３４が記憶している状態データのうち、複数の状態データを１度に送信するものであっても良い。
【０１０９】
制御部１５４は、送信部１４４が送信する状態データの測定時刻について、隣り合う間隔が時刻に応じて変化するように、送信部１４４を制御する。具体的には、制御部１５４は、蓄電池１１４の充電開始時刻前後の所定の時間、充電終了時刻前後の所定の時間、放電開始時刻前後の所定の時間および放電終了時刻前後の所定の時間には、他の時間よりも隣り合う間隔を狭くする。この所定の時間は、あらかじめ設定されている時間であって、変更可能なものである。制御部１５４は、蓄電池１１４への充放電を制御する。
【０１１０】
図２７は、図２６に示した制御部１５４が制御した、送信部１４４が送信する状態データの一例を説明するための図である。図２７において、制御部１５４が制御した、送信部１４４が送信する状態データを○で示している。図２７に示すように、充電開始時刻前後、充電終了時刻前後、放電開始時刻前後および放電終了時刻前後が、他の時間（期間）よりも送信される状態データの測定時刻の間隔が狭くなっている。充電開始時刻前後、充電終了時刻前後、放電開始時刻前後および放電終了時刻前後については、他の時間よりも電圧値の変化が大きいため、細かな間隔でのデータ収集が必要となる。そのため、制御部１５４は、図２７に示すような測定時刻の間隔で、送信データを制御する。
【０１１１】
充放電時間があらかじめ決まっているような充放電、特に需給調整等では、事前に契約電力および充放電時間が設定されていることが多い。そのため、そのような場合、各蓄電装置は、特定の時刻にデータサンプリング数を集中させて、記憶部１３４にバッファリングさせておき、データ送信は既定の時間に行うことによって、さらに劣化推定精度を向上させる事も可能となる。
【０１１２】
なお、図２７の場合、充電開始時刻前後は、例えば、電圧が立ち上がり始める前後の測定時刻であってよい。充電終了時刻前後は、例えば、電圧が立ち上がりきる前後の測定時間であってよい。放電開始時刻前後は、例えば、電圧が立ち下がり始める前後の測定時刻であってよい。放電終了時刻前後は、例えば、電圧が立ち下がりきる前後の測定時間であってよい。
【０１１３】
また、蓄電装置１０４−１は、必要に応じてセルバランス動作を行い、必要に応じて入出力電力を遮断するスイッチを有する。
【０１１４】
情報処理装置２０４は、蓄電装置１０４−１〜１０４−３から送信されてきた蓄電池の状態データに示された蓄電池の状態に基づいて、その蓄電池の劣化状態を推定する。情報処理装置２０４は、サーバ装置であっても良いし。一般的なＰＣであっても良いし、携帯通信端末であっても良く、通信機能および所定の処理を行う機能を具備しているものであれば良い。情報処理装置２０４が具備する要素およびその動作については、第１の実施の形態と同じで良い。
【０１１５】
以下に、図２６に示した蓄電装置１０４−１における通知方法について説明する。図２８は、図２６に示した蓄電装置１０４−１における通知方法の一例を説明するためのフローチャートである。
【０１１６】
まず、測定部１２４は、蓄電池１１４の状態を測定する（ステップＳ６１）。すると、記憶部１３４は、測定部１２４が測定した蓄電池の状態を示す状態データを、測定した測定時刻と対応付けて記憶する（ステップＳ６２）。
【０１１７】
続いて、制御部１５４は、送信部１４４が送信する状態データの測定時刻が所定の期間に含まれるものかどうかを判定する（ステップＳ６３）。この所定の期間は、上述したような蓄電池１１４の充電開始時刻前後の所定の時間、充電終了時刻前後の所定の時間、放電開始時刻前後の所定の時間および放電終了時刻前後の所定の時間である。
【０１１８】
制御部１５４が、送信部１４４が送信する状態データの測定時刻が所定の期間に含まれるものであると判定した場合、制御部１５４は、送信部１４４に対して、測定時刻が互いに近い状態データを読み出すように指示する（ステップＳ６４）。一方、制御部１５４が、送信部１４４が送信する状態データの測定時刻が所定の期間に含まれるものではないと判定した場合、制御部１５４は、送信部１４４に対して、通常の測定時刻の状態データを読み出すように指示する（ステップＳ６５）。
【０１１９】
その後、送信部１４４は、記憶部１３４から読み出した状態データを情報処理装置２０４へ送信する（ステップＳ６６）。
【０１２０】
このように、蓄電装置１０４−１〜１０４−３が情報処理装置２０４へ送信する蓄電池の状態データを、特定の時間に測定した状態データについては、その測定時刻の間隔が狭くなるように送信する。そのため、充放電の開始や終了の時間帯のように、状態データの変動が大きな時間については、他の時間帯よりも精密なデータを得ることができる。
【０１２１】
なお、一般に充電に関しては、一定電流で行われるため、充電開始又は停止時のデータを使用することが望ましいが、放電時においても、停止直前の電流値が求められればその値で補正することが可能である。そのため、放電開始又は停止に関するデータを使用しても問題は生じない。特に、一定電流で充放電を行う場合には、このような過渡応答における電流Ｉの値が一定となるため、直接内部抵抗Ｒを求めることができる。また、等価回路モデルにおける抵抗およびコンデンサの並列回路定数に依存する緩和特性（比較的長時間で電圧が曲線状に上昇または下降する）に関しても比較的正確に求めることが可能となる。
【０１２２】
（第６の実施の形態）
図２９は、本発明の蓄電装置を用いた第６の実施の形態を示す図である。
【０１２３】
本形態における蓄電装置１０５は図２９に示すように、蓄電池１１５と、測定部１２５（測定手段）と、記憶部１３５（記憶手段）と、送信部１４５（送信手段）と、制御部１５５（制御手段）とを有する。なお、図２９には、本発明の蓄電装置１０５が具備する構成要素のうち、本実施の形態に関わる主要な構成要素の一例を示す。
【０１２４】
蓄電池１１５は、充電および放電が可能な二次電池である。蓄電池１１５は、複数の電池セルが直列または並列または直並列に接続されたものであっても良い。測定部１２５は、蓄電池１１５の状態を測定する。記憶部１３５は、測定部１２５が測定した蓄電池１１５の状態を示す状態データと、測定した測定時刻と、を対応付けて記憶するデータベースである。送信部１４５は、記憶部１３５が記憶している状態データを通信ネットワークへ送信する。制御部１５５は、送信部１４５が送信する状態データが、日毎に異なる測定時刻の状態データとなるように、送信部１４５を制御する。
【０１２５】
以下に、図２９に示した蓄電装置１０５における通知方法について説明する。図３０は、図２９に示した蓄電装置１０５における通知方法の一例を説明するためのフローチャートである。
【０１２６】
まず、測定部１２５は、蓄電池１１５の状態を測定する（ステップＳ７１）。すると、記憶部１３５は、測定部１２５が測定した蓄電池の状態を示す状態データを、測定した測定時刻と対応付けて記憶する（ステップＳ７２）。
【０１２７】
続いて、送信部１４５は、制御部１５５からの制御に従って、日毎に異なる測定時刻の状態データとなるように状態データを記憶部１３５から読み出して通信ネットワークへ送信する（ステップＳ７３）。
【０１２８】
このように、蓄電装置１０５が通信ネットワークへ送信する蓄電池の状態データを、日毎にずらした測定時刻のものとする。そのため、日単位では情報処理装置の負荷を軽減させるために送信するデータ量は少ないものであっても、精密なデータを得ることができる。
【０１２９】
（第７の実施の形態）
図３１は、本発明の蓄電装置を用いた第７の実施の形態（蓄電システム）を示す図である。本形態は図３１に示すように、複数の蓄電装置１０６−１〜１０６−３と、情報処理装置２０６とを有する。
【０１３０】
図３２は、図３１に示した蓄電装置１０６−１の内部構成の一例を示す図である。図３１に示した蓄電装置１０６−１は図３２に示すように、蓄電池１１６と、測定部１２６と、送信部１４６と、制御部１５６とを有する。なお、図３２には、図３１に示した蓄電装置１０６−１が具備する構成要素のうち、本実施の形態に関わる主要な構成要素の一例を示す。また、図３１に示した蓄電装置１０６−２，１０６−３の内部構成は、蓄電装置１０６−１の内部構成と同じで良い。
【０１３１】
蓄電池１１６は、充電および放電が可能な二次電池である。測定部１２６は、蓄電池１１６の状態を測定する。送信部１４６は、測定部が測定した状態を示す状態データを情報処理装置２０６へ送信する。制御部１５６は、複数の蓄電装置１０６−１〜１０６−３のうち蓄電装置１０６−１以外の蓄電装置１０６−２，１０６−３とは互いに異なるタイミングで、送信部１４６が状態データを送信するように、送信タイミングを制御する。
【０１３２】
以下に、図３１に示した蓄電システムにおける通知方法について説明する。図３３は、図３１に示した蓄電システムにおける推定方法の一例を説明するためのシーケンス図である。
【０１３３】
まず、蓄電装置１０６−１の測定部１２６は、蓄電装置１０６−１の蓄電池１１６の状態を測定する（ステップＳ８１）。続いて、送信部１４６は、制御部１５６からの制御に従って、蓄電装置１０６−１以外の蓄電装置１０６−２，１０６−３とは互いに異なるタイミングで状態データを送信する（ステップＳ８２）。
【０１３４】
このように、蓄電装置１０６−１〜１０６−３が互いに異なる送信タイミングで蓄電池の状態を示す状態データを情報処理装置２０６へ送信する。そのため、通信ネットワークにおける輻輳を防止することができる。
【０１３５】
（第８の実施の形態）  図３４は、本発明の情報処理装置の実施の一形態を示す図である。
【０１３６】
本形態における情報処理装置２０７は図３４に示すように、受信部２１７と、推定部２３７とを有する。なお、図３４には、本発明の情報処理装置２０７が具備する構成要素のうち、本実施の形態に関わる主要な構成要素の一例を示す。
【０１３７】
受信部２１７は、蓄電装置から送信された、該蓄電装置が具備する蓄電池の状態を示す状態データを複数受信する。推定部２３７は、受信部２１７が受信した複数の状態データが示す状態に基づいて、蓄電池の劣化状態を推定する。
【０１３８】
以下に、図３４に示した情報処理装置２０７における推定方法について説明する。図３５は、図３４に示した情報処理装置２０７における推定方法を説明するためのフローチャートである。
【０１３９】
蓄電装置から蓄電池の状態データが送信されてくると、受信部２１７がその状態データを受信する（ステップＳ９１）。続いて、推定部２３７は、受信部２１７が受信した複数の状態データが示す状態に基づいて、蓄電池の劣化状態を推定する（ステップＳ９２）。
【０１４０】
このように、蓄電装置から送信されてきた状態データに基づいて、蓄電池の劣化状態を推定することができる。
【０１４１】
以上、実施の形態を８つ挙げて説明したが、それらを組み合わせた形態であっても良い。
【０１４２】
上述した各装置それぞれに設けられた各構成要素は、ハードウェア単位の要素ではなく、機能単位の要素を示している。また、各構成要素が行う処理は、目的に応じてそれぞれ作製された論理回路で行うようにしても良い。また、処理内容を手順として記述したコンピュータプログラム（以下、プログラムと称する）を各装置それぞれにて読取可能な記録媒体に記録し、この記録媒体に記録されたプログラムを各装置それぞれに読み込ませ、実行するものであっても良い。各装置それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、各装置それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、各装置それぞれに設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１４３】
なお、本発明は、上記説明した実施形態に限定されるものではない。
【０１４４】
上記の実施の形態の一部または全部は、例えば、以下の付記のようにも記載され得るが、以下には限られない。
【０１４５】
（付記１）
蓄電池の状態を測定する測定部と、
前記測定部が測定した状態を示す状態データと、該測定した測定時刻とを対応付けて記憶する記憶部と、
前記記憶部が記憶している状態データを通信ネットワークへ送信する送信部と、
前記送信部が送信する状態データが、日毎に異なる測定時刻の状態データとなるように、前記送信部を制御する制御部とを有する蓄電装置。
【０１４６】
（付記２）
前記制御部は、前記送信部が送信する状態データの測定時刻について、隣り合う間隔を時刻に応じて変化させる、付記１に記載の蓄電装置。
【０１４７】
（付記３）
前記制御部は、前記蓄電池の充電開始時刻前後の所定の時間、充電終了時刻前後の所定の時間、放電開始時刻前後の所定の時間および放電終了時刻前後の所定の時間には、他の時間よりも前記隣り合う間隔を狭くする、付記２に記載の蓄電装置。
【０１４８】
（付記４）
前記送信部は、複数の状態データを１度に送信する、付記１から３のいずれか１項に記載の蓄電装置。
【０１４９】
（付記５）
前記状態データは、前記蓄電池の電圧、電流、ＳＯＣ（Ｓｔａｔｅ  Ｏｆ  Ｃｈａｒｇｅ）、温度、電流積算値および総充放電電力量の少なくとも１つを含む、付記１から４のいずれか１項に記載の蓄電装置。
【０１５０】
（付記６）
蓄電装置から送信された、該蓄電装置が具備する蓄電池の状態を示す状態データを複数受信する受信部と、
前記受信部が受信した複数の状態データが示す状態に基づいて、前記蓄電池の劣化状態を推定する推定部とを有する情報処理装置。
【０１５１】
（付記７）
前記推定部は、前記受信部が受信した、日毎に異なる測定時刻に応じた状態データを、該測定時刻に従って重ね合わせ、該重ね合わせた結果に基づいて、前記蓄電池の劣化状態を推定する、付記６に記載の情報処理装置。
【０１５２】
（付記８）
複数の蓄電装置をグループに分けるグループ化部を有し、
前記推定部は、前記グループ化部が分けたグループごとに、前記受信部が受信した状態データを用いて前記蓄電池の劣化状態を推定する、付記６に記載の情報処理装置。
【０１５３】
（付記９）
前記推定部は、前記グループ化部が分けたグループごとに、前記受信部が受信した状態データを測定時刻に従って重ね合わせ、該重ね合わせた結果に基づいて、前記蓄電池の劣化状態を推定する、付記８に記載の情報処理装置。
【０１５４】
（付記１０）
前記グループ化部は、前記蓄電装置が設置されている地域に基づいて、前記複数の蓄電装置をグループ化する、付記８または付記９に記載の情報処理装置。
【０１５５】
（付記１１）
前記グループ化部は、前記蓄電装置が設置された設置時期に基づいて、前記複数の蓄電装置をグループ化する、付記８または付記９に記載の情報処理装置。
【０１５６】
（付記１２）
前記グループ化部は、前記蓄電装置が前記蓄電池を複数具備しているか否かに基づいて、前記複数の蓄電装置をグループ化する、付記８または付記９に記載の情報処理装置。
【０１５７】
（付記１３）
前記グループ化部は、太陽電池と連携した蓄電装置について、該太陽電池が受ける日照時間に基づいて、前記複数の蓄電装置をグループ化する、付記８または付記９に記載の情報処理装置。
【０１５８】
（付記１４）
前記グループ化部は、前記蓄電装置の製造元が同じか否か基づいて、前記複数の蓄電装置をグループ化する、付記８または付記９に記載の情報処理装置。
【０１５９】
（付記１５）
蓄電池の状態を測定する処理と、
前記測定した状態を示す状態データと、該測定した測定時刻とを対応付けてデータベースに記憶する処理と、
前記データベースが記憶している状態データのうち、日毎に異なる測定時刻の状態データを通信ネットワークへ送信する処理とを行う通知方法。
【０１６０】
（付記１６）
蓄電装置から送信された、該蓄電装置が具備する蓄電池の状態を示す状態データを複数受信する処理と、
前記受信した複数の状態データが示す状態に基づいて、前記蓄電池の劣化状態を推定する処理とを行う推定方法。
【０１６１】
（付記１７）
前記受信した、日毎に異なる測定時刻に応じた状態データを、該測定時刻に従って重ね合わせる処理と、
前記重ね合わせた結果に基づいて、前記蓄電池の劣化状態を推定する処理とを行う、付記１６に記載の推定方法。
【０１６２】
（付記１８）
複数の蓄電装置をグループに分ける処理と、
前記分けたグループごとに、前記受信した状態データを用いて前記蓄電池の劣化状態を推定する処理とを行う、付記１６に記載の推定方法。
【０１６３】
（付記１９）
コンピュータに、
蓄電池の状態を測定する手順と、
前記測定した状態を示す状態データと、該測定した測定時刻とを対応付けてデータベースに記憶する手順と、
前記データベースが記憶している状態データのうち、日毎に異なる測定時刻の状態データを通信ネットワークへ送信する手順とを実行させるためのプログラム。
【０１６４】
（付記２０）
コンピュータに、
蓄電装置から送信された、該蓄電装置が具備する蓄電池の状態を示す状態データを複数受信する手順と、
前記受信した複数の状態データが示す状態に基づいて、前記蓄電池の劣化状態を推定する手順とを実行させるためのプログラム。
【０１６５】
（付記２１）
前記受信した、日毎に異なる測定時刻に応じた状態データを、該測定時刻に従って重ね合わせる手順と、
前記重ね合わせた結果に基づいて、前記蓄電池の劣化状態を推定する手順とを実行させるための、付記２０に記載のプログラム。
【０１６６】
（付記２２）
複数の蓄電装置をグループに分ける手順と、
前記分けたグループごとに、前記受信した状態データを用いて前記蓄電池の劣化状態を推定する手順とを実行させるための、付記２０に記載のプログラム。
【０１６７】
（付記２３）
情報処理装置と、複数の蓄電装置とを有する蓄電システムであって、
前記複数の蓄電装置はそれぞれ、
当該蓄電装置が具備する蓄電池の状態を測定する測定部と、
前記測定部が測定した状態を示す状態データを前記情報処理装置へ送信する送信部と、
前記送信部が前記状態データを送信する送信タイミングを制御する制御部とを有し、
前記制御部は、前記複数の蓄電装置のうち当該蓄電装置以外の蓄電装置とは互いに異なるタイミングで、前記送信部が前記状態データを送信するように、前記送信タイミングを制御する蓄電システム。
【０１６８】
（付記２４）
前記制御部は、前記送信タイミングを前記複数の蓄電装置間で日毎にローテーションさせる、付記２３に記載の蓄電システム。
【０１６９】
（付記２５）
前記情報処理装置は、前記複数の蓄電装置それぞれに対して、当該蓄電装置以外の蓄電装置とは互いに異なる送信タイミングを通知し、
前記制御部は、前記情報処理装置から通知された送信タイミングで、前記送信部が前記状態データを送信するように、前記送信タイミングを制御する、付記２３または付記２４に記載の蓄電システム。
【０１７０】
（付記２６）
前記制御部は、前記送信部が送信する状態データの測定時刻について、隣り合う間隔を時刻に応じて変化させる、付記２３から２５のいずれか１項に記載の蓄電システム。
【０１７１】
（付記２７）
前記制御部は、前記蓄電池の充電開始時刻前後の所定の時間、充電終了時刻前後の所定の時間、放電開始時刻前後の所定の時間および放電終了時刻前後の所定の時間には、他の時間よりも前記隣り合う間隔を狭くする、付記２６に記載の蓄電システム。
【０１７２】
（付記２８）
前記情報処理装置は、前記複数の蓄電装置から送信されてきた状態データに基づいて、前記蓄電池の劣化状態を推定する、付記２３から２７のいずれか１項に記載の蓄電システム。
【０１７３】
（付記２９）
前記状態データは、前記蓄電池の電圧、電流、ＳＯＣ（Ｓｔａｔｅ  Ｏｆ  Ｃｈａｒｇｅ）、温度、電流積算値および総充放電電力量の少なくとも１つを含む、付記２３から２８のいずれか１項に記載の蓄電システム。
【０１７４】
以上、実施形態を参照して本発明を説明したが、本発明は、上記実施形態及び付記に限定されるものではない。本発明の構成や詳細には、本発明のスコープ内で当業者が理解し得る様々な変更を行うことができる。
【０１７５】
この出願は、２０１６年８月３１日に出願された日本出願特願２０１６−１６９４４４を基礎とする優先権を主張し、その開示の全てをここに取り込む。
【符号の説明】
【０１７６】
１００−１〜１００−３，１０１−１〜１０１−３，１０２−１〜１０２−３，１０３−１〜１０３−３，１０４−１〜１０４−３，１０５，１０６−１〜１０６−３    蓄電装置
１１０，１１１，１１３，１１４，１１５，１１６    蓄電池
１２０，１２１，１２３，１２４，１２５，１２６    測定部
１３０，１３１，１３３，１３４，１３５    記憶部
１４０，１４１，１４３，１４４，１４５，１４６    送信部
１５０，１５１，１５３，１５４，１５５，１５６  制御部
２００，２０１，２０２，２０３，２０４，２０６，２０７    情報処理装置
２１０，２１１，２１２，２１７    受信部
２２２    グループ化部
２３０，２３１，２３２，２３７    推定部
２４１    送信タイミング制御部
３００，３０１，３０２，３０３，３０４    通信ネットワーク
【図１】
2018043315.tif 000003
【図２】
2018043315.tif 000004
【図３】
2018043315.tif 000005
【図４】
2018043315.tif 000006
【図５】
2018043315.tif 000007
【図６】
2018043315.tif 000008
【図７】
2018043315.tif 000009
【図８】
2018043315.tif 000010
【図９】
2018043315.tif 000011
【図１０】
2018043315.tif 000012
【図１１】
2018043315.tif 000013
【図１２】
2018043315.tif 000014
【図１３】
2018043315.tif 000015
【図１４】
2018043315.tif 000016
【図１５】
2018043315.tif 000017
【図１６】
2018043315.tif 000018
【図１７】
2018043315.tif 000019
【図１８】
2018043315.tif 000020
【図１９】
2018043315.tif 000021
【図２０】
2018043315.tif 000022
【図２１】
2018043315.tif 000023
【図２２】
2018043315.tif 000024
【図２３】
2018043315.tif 000025
【図２４】
2018043315.tif 000026
【図２５】
2018043315.tif 000027
【図２６】
2018043315.tif 000028
【図２７】
2018043315.tif 000029
【図２８】
2018043315.tif 000030
【図２９】
2018043315.tif 000031
【図３０】
2018043315.tif 000032
【図３１】
2018043315.tif 000033
【図３２】
2018043315.tif 000034
【図３３】
2018043315.tif 000035
【図３４】
2018043315.tif 000036
【図３５】
2018043315.tif 000037
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
蓄電池の状態を測定する測定手段と、
前記測定手段が測定した状態を示す状態データと、その状態を測定した測定時刻とを対応付けて記憶する記憶手段と、
前記記憶手段が記憶している前記状態データを通信ネットワークへ送信する送信手段と、
前記送信手段が送信する前記状態データが、日毎に異なる前記測定時刻の前記状態データとなるように、前記送信手段を制御する制御手段とを有する蓄電装置。
【請求項２】
請求項１に記載の蓄電装置において、
前記制御手段は、前記送信手段が送信する前記状態データの前記測定時刻について、隣り合う間隔を時刻に応じて変化させる蓄電装置。
【請求項３】
請求項２に記載の蓄電装置において、
前記制御手段は、前記蓄電池の充電開始時刻前後の所定の時間、充電終了時刻前後の所定の時間、放電開始時刻前後の所定の時間および放電終了時刻前後の所定の時間には、他の時間よりも前記隣り合う間隔を狭くする蓄電装置。
【請求項４】
請求項１から３のいずれか１項に記載の蓄電装置において、
前記送信手段は、複数の前記状態データを１度に送信する蓄電装置。
【請求項５】
請求項１から４のいずれか１項に記載の蓄電装置において、
前記状態データは、前記蓄電池の電圧、電流、ＳＯＣ（Ｓｔａｔｅ  Ｏｆ  Ｃｈａｒｇｅ）、温度、電流積算値および総充放電電力量の少なくとも１つを含む蓄電装置。
【請求項６】
蓄電池の状態を測定し、
測定した前記状態を示す状態データと、その状態を測定した測定時刻とを対応付けてデータベースに記憶する処理と、
前記データベースが記憶している前記状態データのうち、日毎に異なる前記測定時刻の前記状態データを通信ネットワークへ送信する処理とを行う通知方法。
【請求項７】
蓄電装置から送信された、該蓄電装置が具備する蓄電池の状態を示す状態データを複数受信し、
受信した複数の前記状態データが示す状態に基づいて、前記蓄電池の劣化状態を推定する推定方法。
【請求項８】
コンピュータに、
蓄電池の状態を測定する処理と、
測定した前記状態を示す状態データと、その状態を測定した測定時刻とを対応付けてデータベースに記憶する処理と、
前記データベースが記憶している前記状態データのうち、日毎に異なる前記測定時刻の前記状態データを通信ネットワークへ送信する処理とを実行させるためのプログラム。
【請求項９】
コンピュータに、
蓄電装置から送信された、該蓄電装置が具備する蓄電池の状態を示す状態データを複数受信する処理と、
受信した複数の前記状態データが示す状態に基づいて、前記蓄電池の劣化状態を推定する処理とを実行させるプログラム。
【請求項１０】
情報処理装置と、複数の蓄電装置とを有する蓄電システムであって、
複数の前記蓄電装置はそれぞれ、
当該蓄電装置が具備する蓄電池の状態を測定する測定手段と、
前記測定手段が測定した状態を示す状態データを前記情報処理装置へ送信する送信手段と、
前記送信手段が前記状態データを送信する送信タイミングを制御する制御手段とを有し、
前記制御手段は、複数の前記蓄電装置のうち当該蓄電装置以外の前記蓄電装置とは互いに異なるタイミングで、前記送信手段が前記状態データを送信するように、前記送信タイミングを制御する蓄電システム。
【国際調査報告】
2018043315.tif 000038
2018043315.tif 000039
2018043315.tif 000040
2018043315.tif 000041